(57)【要約】      （修正有）【課題】患部周辺が長期間固定される事による皮膚病発症の抑制、清潔維持、ギプス解体による怪我や悪臭の防止、患部の治癒力向上と身体的負担の軽減、応急処置が容易になるギブスを提供する。【解決手段】空気やガスを充填した樹脂素材で形成した筒状のギプスと、液状またはゲル状の薬剤を筒状の樹脂素材で固定した筒状のギプス、ギプス同士を連結させる磁石、ギプスに空気やガスを充填する為に用いる注入孔、薬剤注入のための注入孔、止水栓を設ける。【選択図】図１
2019141329.tif 000002
【特許請求の範囲】
【請求項１】
ギプスでの患部の固定及び、ギプスの取り外しが容易で、ギプスの大幅な軽量化を実現
しつつ、患部を清潔に保つ事が出来て、患部の治癒力を大幅に高める為に、以下に述べる
構造で形成し、連結して構成されたギプスの製造方法に関する。
１．透明で一定の硬度が在る、樹脂素材を用いて形成して、空気或いはガスを用いて、
ギプスを固定する為の、カフ８を内部に設けて、カフ８に対し、空気或いはガスを、充填
して封入する為に用いる、空気或いはガスを充填する為の注入孔７と、ギプス同士を連結
させる磁石６を設けた、空気或いはガスを、内部に充填して固定する為に用いる、筒状の
ギプス２を用意する。
２．次に、軟質樹脂素材で形成された、厚さが５ｍｍ〜３０ｍｍ程度に成る、パッキン
３及び、液状或いはゲル状の薬剤９を、充填或いは、排出する為に用いる、薬剤の注入孔
１３並びに止水栓４、更には、空気或いはガスを、内部に充填して固定する為に用いる、
筒状のギプス２に対し、確り連結する為に用いる磁石６を設けた、内部に薬剤を充填して
用いる、筒状のギプス５を用意する。
３．空気或いはガスを、内部に充填して固定する為に用いる、筒状のギプス２、内部に
薬剤を充填して用いる、筒状のギプス５を、患部１の形状や大きさに併せて、複数個用意
したら、其々に設けられた磁石６同士で、内部に薬剤を充填して用いる、筒状のギプス５
を、空気或いはガスを、内部に充填して固定する為に用いる、筒状のギプス２で挟む様に
連結する。
４．空気或いはガスを、内部に充填して固定する為に用いる、筒状のギプス２と、内部
に薬剤を充填して用いる、筒状のギプス５を連結したら、空気或いはガスを、内部に充填
して固定する為に用いる、筒状のギプス２に設けられた、空気或いはガスを充填する為の
注入孔７に対し、ホース１０と、ホースからの空気或いはガスを、流入及び、封入を行う
為に用いる部品１１を、確りと連結する。
５．ホース１０と、ホースからの空気或いはガスを、流入及び、封入を行う為に用いる
部品１１を、空気或いはガスを充填する為の注入孔７に対し、確り連結をしたら、送気球
又は、コンプレッサー又は、ガスボンベを用いる事で、カフ８に対し、ホース１０及び、
ホースからの空気或いはガスを、流入及び、封入を行う為に用いる部品１１を経由して、
空気或いはガスを、内部に充填して固定する為に用いる、筒状のギプス２内部に設けた、
カフ８に対し、空気或いはガスを充填する。
６．空気或いはガスを、内部に充填して固定する為に用いる、筒状のギプス２の内部に
設けた、カフ８に充填をしたら、空気或いはガスが、カフ８から漏出するのを防ぐ為に、
ホースからの空気或いはガスを、流入及び、封入を行う為に用いる部品１１の連結箇所を
塞ぎ、ホース１０を外す。更に、ホースからの空気或いはガスを、流入及び、封入を行う
為に用いる部品１１に対し、ホース１０を連結していた箇所を塞ぐ。
７．患部１に対して、空気或いはガスを、内部に充填して固定する為に用いる、筒状の
ギプス２を固定したら、内部に薬剤を充填して用いる、筒状のギプス５に設けた、止水栓
４の片方を外し、液状或いはゲル状の薬剤９を、薬剤の注入孔１３から充填する。
８．液状或いはゲル状の薬剤９を、内部に薬剤を充填して用いる、筒状のギプス５の、
内部に充填したら、外した止水栓４を、薬剤の注入孔１３に対し、改めて装着させる事に
依り、液状或いはゲル状の薬剤９を、確りと封入する結果、従来のギプスが有していた、
問題の解決を実現する。
【発明の詳細な説明】
【技術分野】
【０００１】
本発明は、石膏包帯或いは、ガラス繊維素材で固定したギプスと比較して、患部の固定
及び、ギプスの取り外しが容易な上に、大幅な軽量化を実現しつつ、患部を清潔に保つ事
が出来て、患部の治癒力を大幅に高める、ギプスの製造方法に関する。
【背景技術】
【０００２】
従来に於ける、患部を固定する際に用いるギプスには、石膏包帯を用いた物が在る。
【０００３】
或いは、ガラス繊維で作られた布地に、水硬性ポリウレタン樹脂を含浸させた、ガラス
繊維キャスティングテープが在る。
【０００４】
本発明は、従来のギプスが有していた、下記の問題を解決する事を目的とする。
１．患部周辺が長期間固定される事に依り、患部の周囲で皮膚病を発する事。
２．患部を長期間固定しつつ、患部の周囲を清潔に保つ事。
３．ギプスを解体する際に生じる、怪我や悪臭を無くす事。
４．患部の治癒力を高める事で、患者の身体的負担を軽減する事。
５．長期間ギプスを使用する事に依る、身体への負荷を軽減する事。
６．公共機関や観光地に於いて、応急処置を容易にする事。
【発明の開示】
【課題を解決するための手段】
【０００５】
以下に於いて、図１〜図３を用いて、本発明に関する説明をする。
【０００６】
本発明は、上記目的を達成する為、透明且つ一定の硬度が在る、樹脂素材を用いて形成
し、空気或いはガスを用いて、ギプスを固定する為の、カフ８を内部に設けて、カフ８に
対し、空気或いはガスを、充填して封入する為に用いる、空気或いはガスを充填する為の
注入孔７及び、ギプス同士を連結させる為に用いる磁石６を設けた、空気或いはガスを、
内部に充填して固定する為に用いる、筒状のギプス２を用意する。
【０００７】
次に、軟質樹脂素材で形成し、厚さが５ｍｍ〜３０ｍｍ程度の、パッキン３及び、液状
或いはゲル状の薬剤９を、充填或いは排出する為に用いる、薬剤の注入孔１３と、止水栓
４、更には、空気或いはガスを、内部に充填して固定する為に用いる、筒状のギプス２に
対し、確り連結する為に用いる、磁石６を設けた、内部に薬剤を充填して用いる、筒状の
ギプス５を用意する。磁石を用いる理由として、血液が連結箇所に付着した場合、ボタン
又は、螺子締め又は、フック又は、テープで固定を行った場合、血液が付着して乾燥した
際に、連結箇所が固まる事に依り、取り外しが困難に成るからで在る。
【０００８】
空気或いはガスを、内部に充填して固定する為に用いる、筒状のギプス２及び、内部に
薬剤を充填して用いる、筒状のギプス５を、患部１の形状や大きさに併せて、複数個用意
し、其々に設けられた磁石６同士で、内部に薬剤を充填して用いる、筒状のギプス５を、
空気或いはガスを、内部に充填して固定する為に用いる、筒状のギプス２で挟む様に連結
する。
【０００９】
空気或いはガスを、内部に充填して固定する為に用いる、筒状のギプス２及び、内部に
薬剤を充填して用いる、筒状のギプス５を確りと連結したら、空気或いはガスを、内部に
充填して固定する為に用いる、筒状のギプス２に設けられた、空気或いはガスを充填する
為の注入孔７に対し、ホース１０及び、ホースからの空気或いはガスを、流入及び、封入
を行う為に用いる部品１１を連結する。
【００１０】
ホース１０と、ホースからの空気或いはガスを、流入及び、封入を行う為に用いる部品
１１を、空気或いはガスを充填する為の注入孔７に対して、確りと連結をしたら、送気球
又は、コンプレッサー又は、ガスボンベを用いて、カフ８内部に対し、ホース１０及び、
ホースからの空気或いはガスを、流入及び、封入を行う為に用いる部品１１を経由して、
内部のカフ８に対し、空気或いはガスを充填する。
【００１１】
送気球又は、コンプレッサー又は、ガスボンベを用いる利点は、下記の通りで在る。
１．送気球の場合、一度にカフ８へ送り込む、空気の量は少ないが、取扱い及び、部品
の調達が容易な上に、電力が不要な為、電気が使えない場所に於ける、応急処置に適して
いる。
２．コンプレッサーの場合、電力が必要な為に、使える環境は限られるが、空気或いは
ガスを充填する時間が早く、加圧調節が容易な事から、電力が使える環境下では、誰でも
手早く、カフ８内部に対し、空気或いはガスの充填が出来る。
３．ガスボンベの場合、加圧調節に技術を要し、ガスボンベの取扱いにも、注意が必要
だが、電力を必要とせず、極めて短時間で、空気或いはガスの充填が出来る為、医療施設
を始めとする、ガスボンベの設置及び、使用が容易な環境下では、迅速に患部への処置が
出来る。
【００１２】
空気或いはガスを、内部に充填して固定する為に用いる、筒状のギプス２内部に設けた
カフ８に対し、空気或いはガスを充填したら、空気或いはガスが、漏出する事を防ぐ為、
流入及び、封入を行う為に用いる部品１１を塞ぎ、ホース１０を外す。更に、空気或いは
ガスを、流入及び、封入を行う為に用いる部品１１に対して、ホース１０を連結していた
箇所を塞ぐ。
【００１３】
此れに依り、充填する箇所に連結する、空気或いはガスを、内部に充填して固定する為
に用いる、筒状のギプス２に設けた、カフ８の内圧が上昇する事で、液状或いはゲル状の
薬剤９が、パッキン３の隙間から漏水する事を防ぎつつ、空気或いはガスを、内部に充填
して固定する為に用いる、筒状のギプス２の固定を強固にする。
【００１４】
患部１に対し、空気或いはガスを、内部に充填して固定する為に用いる、筒状のギプス
２を固定したら、内部に薬剤を充填して用いる、筒状のギプス５に設けられた、止水栓４
の片方を外し、液状或いはゲル状の薬剤９を、薬剤の注入孔１３から充填する。
【００１５】
液状或いはゲル状の薬剤９を、内部に薬剤を充填して用いる、筒状のギプス５の内部に
充填したら、外した止水栓４を、薬剤の注入孔１３に対し、改めて装着させる事に依り、
液状或いはゲル状の薬剤９を、確りと封入する結果、従来のギプスが有していた、問題の
解決を実現する。
【００１６】
尚、患部１からの出血が在る場合は、患部１の出血量に応じて、内部に薬剤を充填して
用いる、筒状のギプス５に止血剤を充填するか、薬剤の注入孔１３を、止水栓４を用いて
塞ぐだけにする事で、止血を容易に行う事が出来る。
【００１７】
従来のギプスと比較して、本発明を用いる事で改善する点は、下記の通りで在る。
１．石膏包帯或いは、ガラス繊維キャスティングテープを用いた、従来のギプスと比較
すると、大幅な軽量化を実現する。
２．患部を直接、液状或いはゲル状の薬剤で固定する事に依り、患部の皮膚病或いは、
感染症を抑えつつ、患部の治癒力を、大幅に向上させる事が出来る。
３．患部を直接、液状或いはゲル状の薬剤及び、透明で一定の硬度が在る、筒状の樹脂
素材で固定する事に依り、ギプスを付けた状態で、患部並びに、患部周囲の洗浄或いは、
紫外線や放射線の照射に依る、殺菌や抗菌が可能と成る。又、此れに関連して、ギプスの
解体時に於ける、悪臭が無くなる。
４．石膏包帯或いは、ガラス繊維キャスティングテープを用いた、従来のギプスでは、
屡々発生した、ギプスを解体する際の怪我が無くなる。
５．筒状のギプスを、連結して固定する事で、公共施設や観光地でも、擦傷又は、創傷
又は、火傷又は、皮膚病又は、感染症又は、打撲又は、捻挫又は、骨折の応急処置が容易
に出来る。
【図面の簡単な説明】
【００１８】
【図１】提出案件に於ける、ギプスの構造及び、ギプスを用いる状態を示した図面
【図２】患部周辺を、連結して固定する為に用いる、ギプスの構造を示した図面
【図３】患部に薬剤を充填しつつ、固定する為に用いる、ギプスの構造を示した図面
【図４】提出案件を用いた、足の長さが不均等な患者に対する、継続使用が容易な、身体の伸張ギプスを示した図面
【図５】提出案件を用いた、欠損した脚部位に対し、義足を用いる患者が、継続して使用する事が容易な、義足と連結したギプスを示した図面
【産業上の利用可能性】
【００１９】
以下に於いて、図４〜図５を用いて、産業上の利用可能性に関する説明をする。
【００２０】
本案件に於ける、産業上の利用可能性としては、擦傷又は、創傷又は、火傷又は、皮膚
病又は、感染症又は、打撲又は、捻挫又は、骨折に於ける、患部を治療する用途の他に、
圧縮コイル発条と併用する事に依り、長期間の継続使用で、伸張が必要な身体の部位を、
伸張させる事が出来る。
【００２１】
或いは、本案件を利用する事で、義手や義足を使用する際に、欠損部位に対して、直接
義手や義足を固定する事に依る、歩行時及び、身体に負荷が掛かる際に於ける、身体への
負担を大幅に軽減し、義手や義足が直接、欠損箇所に触れる事に依る、痛苦を無くす事が
出来る。
【００２２】
更には、欠損部位を、確りと保護する事に依り、コンクリート又は、岩石の破片や粉末
の他に、蜂又は、壁蝨又は、蝨を始めとする害虫や、薬剤や油剤の付着を防げる事から、
欠損部位周辺を、衛生的で安全に、確りと保護する事が出来る。
【００２３】
図４の例では、健常な脚部位１５と比べると、伸張不全な脚部位１６の長さを、健常な
脚部位１５に併せる為に、長期的な伸張負荷が必要で在る。
【００２４】
其処で、伸張不全な脚部位１６に対し、空気或いはガスを、内部に充填して固定する為
に用いる、筒状のギプス２を連結させた上で、圧縮コイル発条１４を、伸張不全な脚部位
１６に連結した、空気或いはガスを、内部に充填して固定する為に用いる、筒状のギプス
２に連結させる。
【００２５】
次に、圧縮コイル発条１４に連結した、空気或いはガスを、内部に充填して固定する為
に用いる、筒状のギプス２の片方に対し、空気或いはガスを充填した上で、確りと密封を
する。
【００２６】
其の上で、圧縮コイル発条１４を圧縮する様に、未だ固定をして無い、内部に充填して
固定する為に用いる、筒状のギプス２を動かした状態で、空気或いはガスを、内部に充填
して固定する為に用いる、筒状のギプス２へ充填して、確りと密封する。
【００２７】
此の事に依り、伸張不全な脚部位１６に対し、過剰な負荷が掛かる事は無く、長期的な
伸張負荷を、安全且つ、衛生的に行う事が出来る。
【００２８】
図５の例では、健全な脚部位１５と比較すると、膝下を欠損した事に依り、義足１８の
使用が必要と成った、膝下を欠損した脚部位１７が在る。
【００２９】
膝下を欠損した脚部位１７に対し、義足１８を直接に装着した場合、接合部から激しい
痛みを伴うので、空気或いはガスを、内部に充填して固定する為に用いる、筒状のギプス
２を、膝下を欠損した脚部位１７と、義足１８の中間に使う。
【００３０】
膝下を欠損した脚部位１７及び、義足１８の中間に対して、空気或いはガスを、内部に
充填して固定する為に用いる、筒状のギプス２を連結させる事で、膝下を欠損した脚部位
１７が、義足１８に直接触れ無く成る事に依り、膝下を欠損した脚部位１７が、継続的に
痛む事を防ぐだけで無く、欠損した脚部位１７を、確りと保護する役割を果たす。
【符号の説明】
【００３１】
１    患部
２    空気或いはガスを、内部に充填して固定する為に用いる、筒状のギプス
３    パッキン
４    止水栓
５    内部に薬剤を充填して用いる、筒状のギプス
６    磁石
７    空気或いはガスを充填する為の注入孔
８    カフ
９    液状或いはゲル状の薬剤
１０  ホース
１１  ホースからの空気或いはガスを、流入及び、封入を行う為に用いる部品
１２  薬剤の注入孔
１３  圧縮コイル発条
１４  健全な脚部位
１５  伸張不全な脚部位
１６  膝下を欠損した脚部位
１７  義足
【図１】
2019141329.tif 000003
【図２】
2019141329.tif 000004
【図３】
2019141329.tif 000005
【図４】
2019141329.tif 000006
【図５】
2019141329.tif 000007
【手続補正書】
【提出日】平成30年9月3日(2018.9.3)
【手続補正１】
【補正対象書類名】特許請求の範囲
【補正対象項目名】請求項１
【補正方法】変更
【補正の内容】
【請求項１】
透明で一定の硬度が在る、樹脂素材を用いて形成して、空気或いはガスを用いて、ギプ
スを固定する為の、カフ（８）を内部に設けて、カフ（８）に対し、空気或いはガスを、
充填して封入する為に用いる、空気或いはガスを充填する為の注入（７）と、ギプス同士
を連結させる磁石（６）を設けた、空気或いはガスを、内部に充填して固定する為に用い
る、筒状のギプス（２）と、軟質樹脂素材で形成された、厚さが５ｍｍ〜３０ｍｍ程度に
成る、パッキン（３）及び、液状或いはゲル状の薬剤（９）を、充填或いは、排出する為
に用いる、薬剤の注入孔（１３）並びに止水栓（４）、更には、空気或いはガスを、内部
に充填して固定する為に用いる、筒状のギプス（２）に対し、確り連結する為に用いる磁
石（６）を設けた、内部に薬剤を充填して用いる、筒状のギプス（５）を備え、其々に設
けられた磁石（６）同士で、内部に薬剤を充填して用いる、筒状のギプス（５）を、空気
或いはガスを、内部に充填して固定する為に用いる、筒状のギプス（２）で挟む様に連結
させて、空気或いはガスを、内部に充填して固定する為に用いる、筒状のギプス（２）に
設けられた、空気或いはガスを充填する為の注入孔（７）に対し、空気或いはガスを、流
入及び、封入を行う為に用いる部品（１１）を経由して、筒状のギプス（２）内部に設け
たカフ（８）に対し、空気或いはガスを充填したら、空気或いはガスを、流入及び、封入
を行う為に用いる部品（１１）の連結箇所を塞ぐ事で、空気或いはガスを、内部に充填し
て固定する為に用いる、筒状のギプス（２）と、内部に薬剤を充填して用いる、筒状のギ
プス（５）を連結して固定するギプス。
【手続補正２】
【補正対象書類名】明細書
【補正対象項目名】全文
【補正方法】変更
【補正の内容】
【発明の詳細な説明】
【技術分野】
【０００１】
本発明は、石膏包帯或いは、ガラス繊維素材で固定したギプスと比較して、患部の固定
及び、ギプスの取り外しが容易な上に、大幅な軽量化を実現しつつ、患部を清潔に保つ事
が出来て、患部の治癒力を大幅に高めるギプスで在る。
【背景技術】
【０００２】
従来に於ける、患部を固定する際に用いるギプスには、石膏包帯を用いた物が在る。
【０００３】
或いは、ガラス繊維で作られた布地に、水硬性ポリウレタン樹脂を含浸させた、ガラス
繊維キャスティングテープが在る。
【０００４】
本発明は、石膏包帯或いは、ガラス繊維キャスティングテープを用いたギプスが有して
いた、下記の問題を解決する事を目的とする。
１．患部周辺が長期間固定される事に依り、患部の周囲で皮膚病を発する事。
２．患部を長期間固定しつつ、患部の周囲を清潔に保つ事。
３．ギプスを解体する際に生じる、怪我や悪臭を無くす事。
４．患部の治癒力を高める事で、患者の身体的負担を軽減する事。
５．長期間ギプスを使用する事に依る、身体への負荷を軽減する事。
６．公共機関や観光地に於いて、応急処置を容易にする事。
【発明の開示】
【課題を解決するための手段】
【０００５】
以下に於いて、図１〜図３を用いて、本発明に関する説明をする。
【０００６】
本発明は、上記目的を達成する為、透明且つ一定の硬度が在る、樹脂素材を用いて形成
し、空気或いはガスを用いて、ギプスを固定する為の、カフ８を内部に設けて、カフ８に
対し、空気或いはガスを、充填して封入する為に用いる、空気或いはガスを充填する為の
注入孔７及び、ギプス同士を連結させる為に用いる磁石６を設けた、空気或いはガスを、
内部に充填して固定する為に用いる、筒状のギプス２を用意する。
【０００７】
次に、軟質樹脂素材で形成し、厚さが５ｍｍ〜３０ｍｍ程度の、パッキン３及び、液状
或いはゲル状の薬剤９を、充填或いは排出する為に用いる、薬剤の注入孔１３と、止水栓
４、更には、空気或いはガスを、内部に充填して固定する為に用いる、筒状のギプス２に
対し、確り連結する為に用いる、磁石６を設けた、内部に薬剤を充填して用いる、筒状の
ギプス５を用意する。磁石を用いる理由として、血液が連結箇所に付着した場合、ボタン
又は、螺子締め又は、フック又は、テープで固定を行った場合、血液が付着して乾燥した
際に、連結箇所が固まる事に依り、取り外しが困難に成るからで在る。
【０００８】
空気或いはガスを、内部に充填して固定する為に用いる、筒状のギプス２及び、内部に
薬剤を充填して用いる、筒状のギプス５を、患部１の形状や大きさに併せて、複数個用意
し、其々に設けられた磁石６同士で、内部に薬剤を充填して用いる、筒状のギプス５を、
空気或いはガスを、内部に充填して固定する為に用いる、筒状のギプス２で挟む様に連結
する。
【０００９】
空気或いはガスを、内部に充填して固定する為に用いる、筒状のギプス２及び、内部に
薬剤を充填して用いる、筒状のギプス５を確りと連結したら、空気或いはガスを、内部に
充填して固定する為に用いる、筒状のギプス２に設けられた、空気或いはガスを充填する
為の注入孔７に対し、ホース１０及び、ホースからの空気或いはガスを、流入及び、封入
を行う為に用いる部品１１を連結する。
【００１０】
ホース１０と、ホースからの空気或いはガスを、流入及び、封入を行う為に用いる部品
１１を、空気或いはガスを充填する為の注入孔７に対して、確りと連結をしたら、送気球
又は、コンプレッサー又は、ガスボンベを用いて、カフ８内部に対し、ホース１０及び、
ホースからの空気或いはガスを、流入及び、封入を行う為に用いる部品１１を経由して、
内部のカフ８に対し、空気或いはガスを充填する。
【００１１】
送気球又は、コンプレッサー又は、ガスボンベを用いる利点は、下記の通りで在る。
１．送気球の場合、一度にカフ８へ送り込む、空気の量は少ないが、取扱い及び、部品
の調達が容易な上に、電力が不要な為、電気が使えない場所に於ける、応急処置に適して
いる。
２．コンプレッサーの場合、電力が必要な為に、使える環境は限られるが、空気或いは
ガスを充填する時間が早く、加圧調節が容易な事から、電力が使える環境下では、誰でも
手早く、カフ８内部に対し、空気或いはガスの充填が出来る。
３．ガスボンベの場合、加圧調節に技術を要し、ガスボンベの取扱いにも、注意が必要
だが、電力を必要とせず、極めて短時間で、空気或いはガスの充填が出来る為、医療施設
を始めとする、ガスボンベの設置及び、使用が容易な環境下では、迅速に患部への処置が
出来る。
【００１２】
空気或いはガスを、内部に充填して固定する為に用いる、筒状のギプス２内部に設けた
カフ８に対し、空気或いはガスを充填したら、空気或いはガスが、漏出する事を防ぐ為、
流入及び、封入を行う為に用いる部品１１を塞ぎ、ホース１０を外す。更に、空気或いは
ガスを、流入及び、封入を行う為に用いる部品１１に対して、ホース１０を連結していた
箇所を塞ぐ。
【００１３】
此れに依り、充填する箇所に連結する、空気或いはガスを、内部に充填して固定する為
に用いる、筒状のギプス２に設けた、カフ８の内圧が上昇する事で、液状或いはゲル状の
薬剤９が、パッキン３の隙間から漏水する事を防ぎつつ、空気或いはガスを、内部に充填
して固定する為に用いる、筒状のギプス２の固定を強固にする事で、ギプスを形成する。
【００１４】
図１を例に挙げると、患部１に対し、空気或いはガスを、内部に充填して固定する為に
用いる、筒状のギプス２を固定したら、内部に薬剤を充填して用いる、筒状のギプス５に
設けられた、止水栓４の片方を外し、液状或いはゲル状の薬剤９を、薬剤の注入孔１３か
ら充填する。
【００１５】
液状或いはゲル状の薬剤９を、内部に薬剤を充填して用いる、筒状のギプス５の内部に
充填したら、外した止水栓４を、薬剤の注入孔１３に対し、改めて装着させる事に依り、
液状或いはゲル状の薬剤９を、確りと封入する結果、石膏包帯或いは、ガラス繊維キャス
ティングテープを用いたギプスが有していた、問題の解決を実現する。
【００１６】
尚、患部１からの出血が在る場合は、患部１の出血量に応じて、内部に薬剤を充填して
用いる、筒状のギプス５に止血剤を充填するか、薬剤の注入孔１３を、止水栓４を用いて
塞ぐだけにする事で、止血を容易に行う事が出来る。
【００１７】
石膏包帯或いは、ガラス繊維キャスティングテープを用いたギプスと比較して、本発明
を用いる事で改善する点は、下記の通りで在る。
１．石膏包帯或いは、ガラス繊維キャスティングテープを用いたギプスと比較すると、
大幅な軽量化を実現する。
２．患部を直接、液状或いはゲル状の薬剤で固定する事に依り、患部の皮膚病或いは、
感染症を抑えつつ、患部の治癒力を、大幅に向上させる事が出来る。
３．患部を直接、液状或いはゲル状の薬剤及び、透明で一定の硬度が在る、筒状の樹脂
素材で固定する事に依り、ギプスを付けた状態で、患部並びに、患部周囲の洗浄或いは、
紫外線や放射線の照射に依る、殺菌や抗菌が可能と成る。又、此れに関連して、ギプスの
解体時に於ける、悪臭が無くなる。
４．石膏包帯或いは、ガラス繊維キャスティングテープを用いたギプスでは、屡々発生
した、ギプスを解体する際の怪我が無くなる。
５．筒状のギプスを、連結して固定する事で、公共施設や観光地でも、擦傷又は、創傷
又は、火傷又は、皮膚病又は、感染症又は、打撲又は、捻挫又は、骨折の応急処置が容易
に出来る。
【図面の簡単な説明】
【００１８】
【図１】提出案件に於ける、ギプスの構造及び、ギプスを用いる状態を示した図面
【図２】患部周辺を、連結して固定する為に用いる、ギプスの構造を示した図面
【図３】患部に薬剤を充填しつつ、固定する為に用いる、ギプスの構造を示した図面
【図４】提出案件を用いた、足の長さが不均等な患者に対する、継続使用が容易な、身体の伸張ギプスを示した図面
【図５】提出案件を用いた、欠損した脚部位に対し、義足を用いる患者が、継続して使用する事が容易な、義足と連結したギプスを示した図面
【産業上の利用可能性】
【００１９】
以下に於いて、図４〜図５を用いて、産業上の利用可能性に関する説明をする。
【００２０】
本案件に於ける、産業上の利用可能性としては、擦傷又は、創傷又は、火傷又は、皮膚
病又は、感染症又は、打撲又は、捻挫又は、骨折に於ける、患部を治療する用途の他に、
圧縮コイル発条と併用する事に依り、長期間の継続使用で、伸張が必要な身体の部位を、
伸張させる事が出来る。
【００２１】
或いは、本案件を利用する事で、義手や義足を使用する際に、欠損部位に対して、直接
義手や義足を固定する事に依る、歩行時及び、身体に負荷が掛かる際に於ける、身体への
負担を大幅に軽減し、義手や義足が直接、欠損箇所に触れる事に依る、痛苦を無くす事が
出来る。
【００２２】
更には、欠損部位を、確りと保護する事に依り、コンクリート又は、岩石の破片や粉末
の他に、蜂又は、壁蝨又は、蝨を始めとする害虫や、薬剤や油剤の付着を防げる事から、
欠損部位周辺を、衛生的で安全に、確りと保護する事が出来る。
【００２３】
図４の例では、健常な脚部位１５と比べると、伸張不全な脚部位１６の長さを、健常な
脚部位１５に併せる為に、長期的な伸張負荷が必要で在る。
【００２４】
其処で、伸張不全な脚部位１６に対し、空気或いはガスを、内部に充填して固定する為
に用いる、筒状のギプス２を連結させた上で、圧縮コイル発条１４を、伸張不全な脚部位
１６に連結した、空気或いはガスを、内部に充填して固定する為に用いる、筒状のギプス
２に連結させる。
【００２５】
次に、圧縮コイル発条１４に連結した、空気或いはガスを、内部に充填して固定する為
に用いる、筒状のギプス２の片方に対し、空気或いはガスを充填した上で、確りと密封を
する。
【００２６】
其の上で、圧縮コイル発条１４を圧縮する様に、未だ固定をして無い、内部に充填して
固定する為に用いる、筒状のギプス２を動かした状態で、空気或いはガスを、内部に充填
して固定する為に用いる、筒状のギプス２へ充填して、確りと密封する。
【００２７】
此の事に依り、伸張不全な脚部位１６に対し、過剰な負荷が掛かる事は無く、長期的な
伸張負荷を、安全且つ、衛生的に行う事が出来る。
【００２８】
図５の例では、健全な脚部位１５と比較すると、膝下を欠損した事に依り、義足１８の
使用が必要と成った、膝下を欠損した脚部位１７が在る。
【００２９】
膝下を欠損した脚部位１７に対し、義足１８を直接に装着した場合、接合部から激しい
痛みを伴うので、空気或いはガスを、内部に充填して固定する為に用いる、筒状のギプス
２を、膝下を欠損した脚部位１７と、義足１８の中間に使う。
【００３０】
膝下を欠損した脚部位１７及び、義足１８の中間に対して、空気或いはガスを、内部に
充填して固定する為に用いる、筒状のギプス２を連結させる事で、膝下を欠損した脚部位
１７が、義足１８に直接触れ無く成る事に依り、膝下を欠損した脚部位１７が、継続的に
痛む事を防ぐだけで無く、欠損した脚部位１７を、確りと保護する役割を果たす。
【符号の説明】
【００３１】
１    患部
２    空気或いはガスを、内部に充填して固定する為に用いる、筒状のギプス
３    パッキン
４    止水栓
５    内部に薬剤を充填して用いる、筒状のギプス
６    磁石
７    空気或いはガスを充填する為の注入孔
８    カフ
９    液状或いはゲル状の薬剤
１０  ホース
１１  ホースからの空気或いはガスを、流入及び、封入を行う為に用いる部品
１２  薬剤の注入孔
１３  圧縮コイル発条
１４  健全な脚部位
１５  伸張不全な脚部位
１６  膝下を欠損した脚部位
１７  義足